(57)【要約】【課題】  ページが遷移した際に、スクリーンとしてのホワイトボードに記入された内容を消してあるか残してあるかによって、プロジェクタが表示する画像を変えることにより、ユーザの見易い画像を表示すること【解決手段】  本発明の画像投影装置は、レビュー対象資料の画像をページ毎に遷移して投影し、投影された投影面に記入された内容をページ毎に撮像する。撮像された撮像画像をページ毎の記憶画像として記憶し、ページの画像を遷移を受け付けると、遷移先のページの記憶画像がある場合、撮像した撮像画像と記憶画像とが一致するかを判断する判断し、判断が一致する場合は、レビュー対象資料の遷移先のページの画像を投影し、撮像された撮像画像と遷移先のページの記憶画像とが一致しない場合は、レビュー対象資料の遷移先のページの画像と遷移先のページの記憶画像とを合成して投影する。【選択図】  図３
2014224944.tif 000002
【特許請求の範囲】
【請求項１】
レビュー対象資料の画像をページ毎に遷移して投影する投影手段と、
前記投影手段によって投影された投影面に記入された内容を前記ページ毎に撮像する撮像手段と、
前記撮像手段により撮像された撮像画像をページ毎の記憶画像として記憶する画像記憶手段と、
前記投影手段により投影されたページの画像を遷移させる入力を受け付けるページ遷移入力受付手段と、
前記ページ遷移入力受付手段により画像の遷移を受け付けると、前記画像記憶手段に遷移先のページの記憶画像がある場合、前記撮像手段で撮像された撮像画像と該記憶画像とが一致するかを判断する判断手段と、
前記投影手段は、前記判断手段により、前記撮像手段で撮像された撮像画像と前記遷移先のページの記憶画像とが一致すると判断された場合は、前記レビュー対象資料の該遷移先のページの画像を投影し、前記撮像手段で撮像された撮像画像と前記遷移先のページの記憶画像とが一致しないと判断された場合は、該レビュー対象資料の該遷移先のページの画像と前記遷移先のページの記憶画像とを合成して投影することを特徴とする画像投影装置。
【請求項２】
前記撮像手段は、前記ページ遷移入力受付手段により画像の遷移を受け付けた後に撮像することを特徴とする請求項１に記載の画像投影装置。
【請求項３】
前記投影手段は、前記ページ遷移入力受付手段により画像の遷移を受け付けた後に投影画像を一定の画像とし、前記撮像手段により撮像することを特徴とする請求項１または２に記載の画像投影装置。
【請求項４】
画像投影装置を制御する制御方法であって、
レビュー対象資料の画像をページ毎に遷移して投影する投影ステップと、
前記投影ステップによって投影された投影面に記入された内容を前記ページ毎に撮像する撮像ステップと、
前記撮像ステップにより撮像された撮像画像を画像記憶手段にページ毎の記憶画像として登録する登録ステップと、
前記投影ステップにより投影されたページの画像を遷移させる入力を受け付けるページ遷移入力受付ステップと、
前記ページ遷移入力受付ステップにより画像の遷移を受け付けると、前記画像記憶手段に遷移先のページの記憶画像がある場合、前記撮像ステップで撮像された撮像画像と該記憶画像とが一致するかを判断する判断ステップと、
前記投影ステップは、前記判断ステップにより、前記撮像ステップで撮像された撮像画像と前記遷移先のページの記憶画像とが一致すると判断された場合は、前記レビュー対象資料の該遷移先のページの画像を投影し、前記撮像ステップで撮像された撮像画像と前記遷移先のページの記憶画像とが一致しないと判断された場合は、該レビュー対象資料の該遷移先のページの画像と前記遷移先のページの記憶画像とを合成して投影するように画像投影装置を制御する制御方法。
【請求項５】
請求項１乃至３のいずれかに記載された画像投影装置として機能させるためのプログラム。
【発明の詳細な説明】
【技術分野】
【０００１】
本発明は画像投影装置、画像投影装置の制御方法ならびにプログラムに関し、特に、投影されたスクリーン上に直接書き込まれた情報を記憶し、投影対象のレビュー対象データと共に表示させるための技術に関する。
【背景技術】
【０００２】
プロジェクタにより資料をスクリーン上に投影し、会議やレビューを実施する場合があるが、このレビューにおいては、投影している画像に対して参加者が直接スクリーン上に記入する場合がある。例えば、レビュー対象物を投影するスクリーンとしてホワイトボードを使用する場合である。この場合、レビュー対象物に対する修正すべき事項、新たなに付与すべき情報をマジックで書き込むことがある。
【０００３】
レビュー中に書き込んだ情報を後で確認する際に、元のレビュー対象物との対応関係を容易に把握できるようにする投影装置として、特許文献１が開示されている。
【特許文献１】特開２００９−２６５１２２号公報
【発明の開示】
【発明が解決しようとする課題】
【０００４】
しかしながら、特許文献１は、ホワイトボードに書き込まれた内容を後でスライドと共に確認するには有効だが、スライドを投影している途中で過去のスライドを表示する際に、以下のような不都合が生じる。
【０００５】
例えば、ホワイトボードに記載されている文字を残したまま、スライドの次のページに遷移し、その後、元のページに戻る場合、特許文献１の技術を利用すると、元のページの画像と共にホワイトボードに記載されていた記憶画像も表示してしまうので、ホワイトボード上の文字と被って表示され、ユーザが見辛いという課題がある。
【０００６】
本願発明は前述の問題点に鑑み、ページが遷移した際に、スクリーンとしてのホワイトボードに記入された内容を消してあるか残してあるかによって、プロジェクタが表示する画像を変えることにより、ユーザの見易い画像を表示することを目的とする。
【課題を解決するための手段】
【０００７】
上記の目的を達成するために、本発明の画像投影装置は、レビュー対象資料の画像をページ毎に遷移して投影する投影手段と、前記投影手段によって投影された投影面に記入された内容を前記ページ毎に撮像する撮像手段と、前記撮像手段により撮像された撮像画像をページ毎の記憶画像として記憶する画像記憶手段と、前記投影手段により投影されたページの画像を遷移させる入力を受け付けるページ遷移入力受付手段と、前記ページ遷移入力受付手段により画像の遷移を受け付けると、前記画像記憶手段に遷移先のページの記憶画像がある場合、前記撮像手段で撮像された撮像画像と該記憶画像とが一致するかを判断する判断手段と、前記投影手段は、前記判断手段により、前記撮像手段で撮像された撮像画像と前記遷移先のページの記憶画像とが一致すると判断された場合は、前記レビュー対象資料の該遷移先のページの画像を投影し、前記撮像手段で撮像された撮像画像と前記遷移先のページの記憶画像とが一致しないと判断された場合は、該レビュー対象資料の該遷移先のページの画像と前記遷移先のページの記憶画像とを合成して投影することを特徴とする。
【発明の効果】
【０００８】
本発明は、プロジェクタの表示ページが遷移した際に、スクリーンとしてのホワイトボードに記入された内容を消してあるか残してあるかによって、プロジェクタが表示する画像を変えることにより、ユーザの見易い画像を表示させることである。
【図面の簡単な説明】
【０００９】
【図１】本発明の実施形態におけるプロジェクタ２００によって投影する画面イメージの一例を示した模式図である。
【図２】本発明の実施形態におけるプロジェクタ２００のハードウェア構成を示す図である。
【図３】本発明の実施形態におけるプロジェクタ２００のソフトウェア構成を示す図である。
【図４】本発明の実施形態におけるプロジェクタ２００の基本的な処理フローを示す図である。
【図５】本発明の実施形態におけるプロジェクタ２００からホワイトボード（ＷＢ）に投影される画像のイメージを示す図である。
【図６】本発明の実施形態におけるプロジェクタ２００が撮影して撮像画像記憶部３０１に記憶されるホワイトボードの画像のイメージを示す図である。
【図７】本発明の実施形態におけるプロジェクタ２００が有する画像スライド対応テーブル３０６のデータの一例を示した図である。
【図８】本発明の実施形態におけるプロジェクタ２００によって投影されるホワイトボードの画面イメージの一例を示した模式図である。
【図９】本発明の実施形態におけるプロジェクタ２００によって投影されるホワイトボードの画面イメージの一例を示した模式図である。
【発明を実施するための形態】
【００１０】
以下、本発明の解決しようとする課題を図１を参照して説明する。
【００１１】
図１は、従来技術におけるプロジェクタ２００によって投影する画面イメージの一例を示した模式図である。
【００１２】
図１の１１０、１２０、１３０は、本発明のプロジェクタ２００が投影可能なホワイトボードなどに画像を投影したイメージ図であり、１１０が投影画面の１ページ目、１２０が２ページ目、１３０が２ページ目を表示後に１ページ目を再度表示した画像の例である。１１２は、１ページ目のスライドで表示される画像イメージで有り、同様に２ページ目のスライドで表示される画像イメージが１２２である。
【００１３】
１ページ目のスライド１１０を表示している際に、プレゼンターなどが文字列１１１のような文字をマジックなどで記載し、２ページ目のスライドに移動させる。移動した結果、プレゼンターが文字列１１１を削除せずに２ページ目を表示させたイメージ図が１２０である。その際、特許文献１は、ホワイトボードに記載された文字列１１１を抽出し、１ページ目のデータと関連づけて記憶することが記載されている。
【００１４】
２ページ目のスライド１２０を表示している最中に、ユーザは１ページ目のスライドに戻したい場合が良くある。その際に、プレゼンターなどが文字列１１１を消さずにそのまま、スライドを１ページ目に戻すと、戻したスライドは１１０のようなイメージ図になる。
【００１５】
しかし、もし、文字列１１１をユーザが消した後でスライドを１ページに戻すと、スライド１１０の１１１が消えたイメージ図が表示され、重要な情報が１１１に記載されていると、再現ができない問題が生じる。
【００１６】
一方、特許文献１の技術を使用すると、1ページ目を再度表示する際、文字列１１１をユーザが消した後でもスライドを１１０のように再現することが可能だが、文字列１１１をユーザが消していない場合は、スライド１３０の文字列１３１のように、ホワイトボードに記載の文字とプロジェクタで投影される文字とが被って表示され読み辛く、プレゼンターがホワイトボードの文字列を消すなどの対策をしないと読めない場合がある。
【００１７】
以上の課題を解決することを目的に、以下の構成により本発明を実現している。
【００１８】
図２を参照して、本発明のプロジェクタ２００のハードウェア構成について説明する。
【００１９】
図２は、本発明の実施形態におけるプロジェクタ２００のハードウェア構成を示す図である。
【００２０】
ＣＰＵ２０１は、システムバス２０４に接続される各デバイスやコントローラを統括的に制御する。
【００２１】
また、ＲＯＭ２０２あるいは情報記憶媒体２０７には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等（）として機能する。
【００２２】
ＣＰＵ２０１は、処理の実行に際して必要なプログラム等をＲＡＭ２０３にロードして、プログラムを実行することで各種動作を実現するものである。
【００２３】
また、入力コントローラ（入力Ｃ）２０５は、操作部２０９からの入力を制御する。
【００２４】
出力コントローラ（出力Ｃ）２０６は、投影部２１０等の表示器への表示を制御する。表示器はＣＲＴでも良いし、液晶ディスプレイでも構わない。
【００２５】
情報記憶媒体２０７は、ブートプログラム、ブラウザソフトウエア、各種のアプリケーション、フォントデータ、ユーザファイル、編集ファイル、各種データ等を記憶する。
【００２６】
通信Ｉ／Ｆコントローラ（通信Ｉ／ＦＣ）２０８は、ネットワークを介して、外部機器と接続・通信するものであり、ネットワークでの通信制御処理を実行する。他の情報処理装置との情報通信や、ＴＣＰ／ＩＰを用いたインターネット通信等が可能である。
【００２７】
なお、ＣＰＵ２０１は、例えばＲＡＭ２０３内の表示情報用領域へアウトラインフォントの展開（ラスタライズ）処理を実行することにより、投影部２１０上での表示を可能としている。
【００２８】
本発明を実現するためのプログラムは情報記憶媒体２０７に記録されており、必要に応じてＲＡＭ２０３にロードされることによりＣＰＵ２０１によって実行されるものである。さらに、本発明で生成されるプログラムやプロキシクラスファイル、プログラムが用いる定義ファイル及び各種情報テーブルは情報記憶媒体２０７に格納されており、これらについての詳細な説明は後述する。
【００２９】
なお、図２の構成は一例であり、用途や目的に応じて様々な構成例があることは云うまでもない。その他の構成例として、プロジェクタが、ネットワークと接続され、通信可能な不図示のパーソナルコンピュータ等の情報処理装置からプログラム生成命令を受けることによって、プログラムの生成を行うことも可能である。
【００３０】
すなわち、本発明の機能が実現されるものであれば、単体の機器であっても、複数の機器からなるシステムであっても、ネットワークを介して処理が行われるシステムであっても本発明を適用することができる。
【００３１】
また、情報記憶媒体２０７に記憶された情報は、それぞれデータベース（ＤＢ）等に格納されていても良い。
【００３２】
次に、図３を参照して、図２に示したプロジェクタ２００のソフトウェア構成について説明する。
【００３３】
図３は、本発明の実施形態におけるプロジェクタ２００のソフトウェア及びハードウェア構成を示す図である。
【００３４】
図３のプロジェクタ２００は、情報処理装置から画像信号３７０を入力する信号入力部３１０と、画像信号３７０の情報を投影部３１２に出力する信号出力部３１１を有する。投影部３１２に出力された画像信号３７０は投影面であるホワイトボード３６０などに投影される。
【００３５】
また、プロジェクタ２００は、ホワイトボード３６０にマジックなどで発言者などが記入した情報を撮影するための撮像部３３０を有している。
【００３６】
画像信号３７０の情報は、ホワイトボード３６０にマジックなどで発言者などが記入した情報と対応付けるため、信号入力部３１０から記入情報制御部３１３にも送信される。送信される情報は、画像信号３７０に含まれるスライド情報自体でも良いし、信号入力部３１０が信号出力部３１１に送信するスライドのページ数だけでも良い。
【００３７】
記入情報制御部３１３は、ホワイトボード３６０を撮影する撮像部３３０と接続されており、プレゼンターなどの記入した画像を把握する。
【００３８】
記入情報制御部３１３は、撮像画像記憶部３０１、ページ遷移入力受付部３０２、記憶画像・撮像画像一致判断部３０３、入力画像・記憶画像合成部３０４、記憶撮像画像有無判断部３０５、画像スライド対応テーブル３０６とを有しており、これらの構成で、ホワイトボード３６０への記入情報をスライドのページ毎の情報を制御することができる。
【００３９】
撮像画像記憶部３０１は、撮像部３３０により撮影された撮像画像を各スライドのページ番号毎に記憶撮像画像として記憶する。ページ遷移入力受付部３０２は、プロジェクタ２００がページ遷移命令を情報処理装置から画像信号３７０と同様に受信すると、撮像部３３０に撮像命令を送信する。
【００４０】
記憶撮像画像有無判断部３０５は、ページ遷移入力受付部３０２が受信したページ遷移命令により遷移するページの記憶撮像画像が撮像画像記憶部３０１にあるかどうかを判断する。遷移するページの記憶撮像画像が撮像画像記憶部３０１にある場合は、遷移するページの記憶撮像画像と、撮像部３３０で撮影した撮像画像とを記憶画像・撮像画像一致判断部３０３により比較する。記憶画像・撮像画像一致判断部３０３による比較で、少なくとも撮像画像の方の画像情報が、記憶撮像画像を含む場合は、画像信号３７０から受信した遷移するページの情報のみを信号入力部３１０に送信する。一方、記憶画像・撮像画像一致判断部３０３による比較で、撮像画像の方の画像情報が、記憶撮像画像に含まれない場合、すなわち、ホワイトボードの記載が遷移するページの記憶撮像画像よりも少ない（欠けている）画像情報の場合は、画像信号３７０から受信した遷移するページの情報と遷移するページの記憶撮像画像とを合成する入力画像・記憶画像合成部３０４により合成された画像を信号入力部３１０に送信する。画像スライド対応テーブル３０６は、撮影画像記憶部３０１に記憶された撮像画像のファイル名と撮影した時のスライドのページ数との対応を記憶するテーブルである。
【００４１】
以上の構成のような、プロジェクタの表示ページが遷移した際に、スクリーンとしてのホワイトボードに記入された内容を消してあるか残してあるかによって、プロジェクタが表示する画像を変える構成により、ユーザが見易く、かつ表示漏れがないような画像を表示させることができる。
【００４２】
また、投影部３１２は、空間光変調器３２１と、空間光変調器３２１を駆動する駆動部３２０と、光源３２２と、レンズ３２３とを含んで構成されている。
【００４３】
駆動部３２０は、信号出力部３１１からの画像信号に基づき、空間光変調器３２１を駆動する。そして、投影部３１２は、光源３２２からの光を、空間光変調器３２１およびレンズ３２３を介して投影する。
【００４４】
次に、プロジェクタ２００の基本的な処理フローについて、図４を参照して説明する。
【００４５】
図４は、本発明の実施形態におけるプロジェクタ２００の基本的な処理フローを示すフローチャートである。なお、図４のフローチャートはプロジェクタ２００のＣＰＵ２０１により実行されるものであり、図中のＳ４０１からＳ４１２はそれぞれの処理ステップを示す。
【００４６】
図４のフローチャートは、例えば情報処理装置からプロジェクタ２００に投影する画像信号３７０が送信されると開始される。
【００４７】
図４のステップＳ４０１において、プロジェクタ２００のＣＰＵ２０１は、受信した画像信号３７０を投影部３１２によりホワイトボード（ＷＢ）３６０へ投影する。投影する画像情報の例を図５を参照して説明する。
【００４８】
図５は、本発明の実施形態におけるプロジェクタ２００からホワイトボード（ＷＢ）に投影される画像のイメージを示す図であり、図１と同じ例のプロジェクタから投影された画像のみを示した図である。
【００４９】
５１０はスライドの１ページ目の画像を投影したイメージ図であり、スライドの中に５１２のような画像が投影されている。同様に５２０は２ページ目の画像を投影したイメージ図であり、スライド内には５２２のような画像が投影されている。図４のフローチャートの説明に戻る。
【００５０】
次に、ステップＳ４０２において、ユーザ（プレゼンター）などにより、プロジェクタで投影されたホワイトボードに、プレゼン資料以外の情報を付加するための文字や記号などが記入される。プレゼンターやミーティングの同席者が、ホワイトボードに文字や記号を書き込んだ後の画面イメージが図１の例である。図１を参照して、プレゼンターなどがホワイトボードに書き込んだ後のイメージを説明する。
【００５１】
図１は、図５のスライドページそれぞれに、プレゼンターや同席者が文字を記入した例である。１１０はスライドの１ページ目（図５の５１０）に文字１１１を記入したイメージ図、１２０はスライド２ページ目（図５の５２０）を表示し、文字１１１を消さずに残したイメージ図、１３０はスライド２ページ目を表示した後でスライド１ページ目に表示を戻した例である。図４のフローチャートの説明に戻る。
【００５２】
次に、ステップＳ４０３において、プロジェクタ２００のＣＰＵ２０１は、ユーザからスライドのページが遷移する命令を受け付けるまで待つ。ステップＳ４０３において、スライドのページを遷移させる命令を受け付けると、次のステップＳ４０４へと処理を移行する。
【００５３】
ステップＳ４０４に移行すると、プロジェクタ２００のＣＰＵ２０１は、投影部３１２に、それまで投影していたスライドのページ画像を、一瞬だけホワイトスクリーンとする。すなわち、投影画像を一旦消し、白い画像、もしくは均一の色の画像を投影することにより、ホワイトボードに書き込んだ内容だけを撮影できるようにし、記入された内容を撮影しやすいように制御する。その後、ステップＳ４０５において、プロジェクタ２００のＣＰＵ２０１は、撮像部３３０にホワイトボードの記入情報の撮影を命令する。その後、プロジェクタ２００の撮像部３３０はホワイトボードを撮影し、撮影された撮像画像を一時記憶領域（ＲＡＭ２０３など）に保存する。
【００５４】
次に、ステップＳ４０６において、プロジェクタ２００のＣＰＵ２０１は、ステップＳ４０３で受け付けた遷移先の記憶撮像画像があるかどうかを判断する。記憶撮像画像があるかどうかの判断は図７の説明で後述する。遷移先の撮像画像がある場合は、ステップＳ４１０へと処理を移行し、一方、遷移先の撮像画像がない場合は、ステップＳ４０７へと処理を移行する。
【００５５】
ステップＳ４０７へと処理を移行すると、プロジェクタ２００のＣＰＵ２０１は、ステップＳ４０５で撮影した撮像画像を撮像画像記憶部３０１に記憶する。記憶する撮像画像の例を図６を参照して説明する。
【００５６】
図６は、本発明の実施形態におけるプロジェクタ２００が撮影して撮像画像記憶部３０１に記憶されるホワイトボードの画像のイメージを示す図であり、図１と同じ例のスライドが投影された際に記入された情報を示した図である。
【００５７】
図６の画像６１０は、図５の１ページ目の画像（５１０）が投影されている間にプレゼンターなどから記入されたオブジェクト６１１（図１の１１１に同じ）を撮影したイメージ図であり、オブジェクト６１１が記入された文字情報の撮影されたイメージ図である。図６の６１０のイメージ全体を撮像画像記憶部３０１に記憶する
【００５８】
図６で記憶された撮像画像を記憶したファイル名と撮像画像が対応するスライドページとの関係を記憶した画像スライド対応テーブル３０６を図7を参照して説明する。
【００５９】
図7は、本発明の実施形態におけるプロジェクタ２００が有する画像スライド対応テーブル３０６のデータの一例を示した図である。図7の７０１が撮像直前に投影していたスライドのページであり、７０２が撮像画像記憶部３０１に記憶した際のファイル名である。この画像スライド対応テーブル３０６により、ステップＳ４０６における遷移先のページのスライドでの撮像画像があるかどうかを判断する。図７の例によると、１ページ目と２ページ目に対しては、それぞれ“ｉｍａｇｅ１．ｊｐｇ”、“ｉｍａｇｅ２．ｊｐｇ”という撮像画像があるが、３ページ目（７０３の行）に関しては、ファイル名欄７０２にファイル名が入力されていないので、３ページ目は撮像画像がないと判断される。図４のフローチャートの説明に戻る。
【００６０】
なお、撮像画像を撮像画像記憶部３０１に記憶するタイミングは、撮影が行われたステップＳ４０５の直後でも良いし、ステップＳ４０７のタイミングでもどちらでも良い。
【００６１】
次に、図４のステップＳ４０８において、プロジェクタ２００のＣＰＵ２０１は、スライドの表示が終了かどうかを判断する。スライドが終了である場合は、本フローチャートの処理を終了し、スライドが終了でない場合は、ステップＳ４０９へと処理を移行する。
【００６２】
ステップＳ４０９において、プロジェクタ２００のＣＰＵ２０１は、情報処理装置から次のスライドの画像信号３７０を受信し、ステップＳ４０１へと処理を移行して、情報処理装置から受信した次のスライドを投影する処理から繰りかえす。
【００６３】
一方、ステップＳ４０６において、ステップＳ４０３で受け付けた遷移先の記憶撮像画像があると判断された場合は、ステップＳ４１０へと処理を移行する。
【００６４】
ステップＳ４１０において、プロジェクタ２００のＣＰＵ２０１は、ステップＳ４０５で撮影された撮像画像と、ステップＳ４０６で存在すると判断された遷移先のページに対応する記憶撮像画像とが、一致しているか、もしくは、撮像画像が記憶撮像画像を包含しているかを判断する。画像の一致の判断方法は、２つの画像の排他的論理和（ＸＯＲ）により判断しても良いし、パターンマッチングによる判断やエッジ検出による一致度の判断などでも良い。
【００６５】
ステップＳ４１０において、撮影された撮像画像と、遷移先のページに対応する記憶撮像画像とが一致、もしくは、撮像画像が記憶撮像画像を包含している場合は、ステップＳ４１２へと処理を移行し、撮影された撮像画像と、遷移先のページに対応する記憶撮像画像とが一致していない場合は、ステップＳ４１１へと処理を移行する。
【００６６】
ステップＳ４１１へと処理が移行すると、プロジェクタ２００のＣＰＵ２０１は、ステップＳ４０６で存在すると判断された遷移先のページに対応する記憶撮像画像を読み込み、一時記憶領域（ＲＡＭ２０３など）に記憶する。その後、ステップＳ４１２へと処理を移行する。
【００６７】
また、ステップＳ４１０において、撮影された撮像画像と、遷移先のページに対応する記憶撮像画像とが一致している、もしくは、撮像画像が記憶撮像画像を包含していると判断された場合は、ステップＳ４１１を経由せず、ステップＳ４１２へと処理を移行する。
【００６８】
ステップＳ４１２へと処理を移行すると、プロジェクタ２００のＣＰＵ２０１は、遷移先のスライドのページ画像を情報処理装置から画像信号３７０を通して受信する。
【００６９】
その後、ステップＳ４１３において、プロジェクタ２００のＣＰＵ２０１は、ステップＳ４１２で受信した遷移先のスライドページの画像と、ステップＳ４１１で一時記憶領域に記憶した記憶撮像画像とをマージして、ステップＳ４０１へと処理を移行する。なお、ステップＳ４１１の処理を通っていない、すなわち、撮影された撮像画像と、記憶撮像画像とが一致、もしくは、撮像画像が記憶撮像画像を包含している場合は、対応する一時記憶領域のデータがないので、ステップＳ４１２で読み込んだ画像だけでステップＳ４０１へと処理を移行する。
上記の処理により、得られる効果を図８、図９を参照して説明する。
【００７０】
図８は、本発明の実施形態におけるプロジェクタ２００によって投影されるホワイトボードの画面イメージの一例を示した模式図である。
【００７１】
図８の８１０、８２０、８３０は、本発明のプロジェクタ２００が投影可能なホワイトボードなどに画像を投影したイメージ図であり、８１０と１１０、８２０と１２０、８３０と１３０とがそれぞれ対応している。１１２は、図１と同じ文字が１ページ目のスライドで表示される画像イメージで有り、同様に２ページ目のスライドで表示される画像イメージが１２２である。
【００７２】
たとえば、図８のように、１ページ目の画像８１０を表示している状態で、プレゼンターなどが８１１のような文字を記載し、スライドを次の２ページ目に遷移する際に、８２０のようにプレゼンターが記載した文字８１１を削除した場合（８２１のような場合）、スライドの２ページ目から再びスライドの１ページ目に戻る場合、８３０の画像では、８１１の文字情報は表示されない。そこで、まず２ページ目のスライド８２０から次のページ（今の場合は１ページ目）に遷移する前に、ホワイトボードの画像を撮影し、撮影した画像と、遷移先の１ページ目の終了時のホワイトボードの記録撮影画像とを比較する。２つの画像が一致していなければ、１ページ目の終了時のホワイトボードの記録撮影画像を１ページ目のスライド画像と同時に表示させることで、１ページ目の最後の記載情報（８３１）が再現される。すなわち、記載情報８３１は、プロジェクタによって投影された画像である。
【００７３】
また、図９は、本発明の実施形態におけるプロジェクタ２００によって投影されるホワイトボードの画面イメージの一例を示した模式図である。
【００７４】
図９の９１０、９２０、９３０は、本発明のプロジェクタ２００が投影可能なホワイトボードなどに画像を投影したイメージ図であり、９１０と１１０、９２０と１２０、９３０と１３０とがそれぞれ対応している。１１２と１２２の画像イメージは、図８と同様である。
【００７５】
たとえば、図９のように、１ページ目の画像９１０を表示している状態で、プレゼンターなどが９１１のような文字を記載し、スライドを次の２ページ目に遷移させる際に、文字情報９１１を消さずに遷移した場合、スライドの２ページ目の表示は９２０のように、文字情報９１１を残したまま、スライド画像が２ページ目の１２２を表示する。その後、スライドの２ページ目から再びスライドの１ページ目に戻る場合、９３０の画像において、図８の８３０と同じように、プロジェクタから文字情報８３１を投影すると、図１の１３１のようにプロジェクタ画像とホワイトボードの画像が被ってしまい見難い画像を見なければならなくなります。そこで、まず２ページ目のスライド８２０から次のページ（今の場合は１ページ目）に遷移する前に、ホワイトボードの画像を撮影し、撮影した画像と、遷移先の１ページ目の終了時のホワイトボードの記録撮影画像とを比較する。２つの画像が一致している、もしくは、記憶撮像画像を遷移前に撮影した画像が包含していれば、記憶撮像画像は表示せず、１ページ目のスライド画像のみを投影することで、１ページ目のホワイトボードの最終的な状況（９３０）が再現される。なお、この際の文字情報９３１は、ホワイトボードに記載されている文字情報、すなわち、９１１と同じ情報である。
【００７６】
以上のような構成により、スライド画像をプロジェクタがホワイトボードに投影した際のプレゼンターなどが記載したコメントを再現する際にもれなくきれいに表示することができる効果を有する。
【００７７】
なお、上述した各種データの構成及びその内容はこれに限定されるものではなく、用途や目的に応じて、様々な構成や内容で構成されることは言うまでもない。
【００７８】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００７９】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００８０】
さらに、各種プログラムに従属するデータもディレクトリなどに管理されている。また、インストールするプログラムやデータが圧縮されている場合に、解凍するプログラム等も記憶される場合もある。
【００８１】
本実施形態におけるフローチャートに示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００８２】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００８３】
この場合、記録媒体から読み出されたプログラムコード自体が本発明の新規な機能を実現することになり、そのプログラムコードを記憶した記録媒体は本発明を構成することになる。
【００８４】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００８５】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８６】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８７】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【００８８】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【００８９】
なお、上述した各実施形態およびその変形例を組み合わせた構成も全て本発明に含まれるものである。
【符号の説明】
【００９０】
２００  プロジェクタ
３０１  撮像画像記憶部
３０２  ページ遷移入力受付部
３０３  記憶画像・撮像画像一致判断部
３０４  入力画像・記憶画像合成部
３０５  記憶撮像画像有無判断部
３０６  画像スライド対応テーブル
３１０  信号入力部
３１１  信号出力部
３１２  投影部
３１３  記入情報制御部
３２０  駆動部
３２１  空間光変調部
３２２  光源
３２３  レンズ
３３０  撮像部
３６０  ホワイトボード
３７０  画像信号
【図１】
2014224944.tif 000003
【図２】
2014224944.tif 000004
【図３】
2014224944.tif 000005
【図４】
2014224944.tif 000006
【図５】
2014224944.tif 000007
【図６】
2014224944.tif 000008
【図７】
2014224944.tif 000009
【図８】
2014224944.tif 000010
【図９】
2014224944.tif 000011